【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
周辺機器からの情報を入力して処理する情報処理装置であって、
前記周辺機器に対して当該周辺機器の状況を問合せる問合せ手段と、
前記周辺機器が有するコンテンツデータの縮小画像を表示する縮小画像表示手段と、
前記縮小画像に対応付けて前記周辺機器を示す画像を表示する機器画像表示手段と、
前記問合せ手段による問合せに対する応答に基づいて、前記周辺機器から前記コンテンツデータの取得が可能かどうかを判定する判定手段と、
前記判定手段による判定結果を表示する表示制御手段と、
を有することを特徴とする情報処理装置。
【請求項２】
前記問合せ手段は、更に、前記コンテンツデータの格納場所を前記周辺機器に問合せ、
前記判定手段は、当該格納場所と前記周辺機器の状況とに基づいて前記周辺機器から前記コンテンツデータの取得が可能かどうかを判定することを特徴とする請求項１に記載の情報処理装置。
【請求項３】
前記表示制御手段は、前記判定手段が前記周辺機器から前記コンテンツデータの取得が可能でないと判定した場合、前記周辺機器を示す画像或は縮小画像に対応付けて、当該周辺機器から前記コンテンツデータの取得ができない旨を示すマークを表示することを特徴とする請求項１又は２に記載の情報処理装置。
【請求項４】
前記判定手段による判定理由を識別する識別手段と、
前記識別手段により識別された判定理由に基づいて、当該判定理由を示すテキストメッセージを作成し、前記周辺機器を示す画像或は縮小画像に対応付けて表示するメッセージ表示手段を更に有することを特徴とする請求項１乃至３のいずれか１項に記載の情報処理装置。
【請求項５】
前記判定手段による判定理由を識別する識別手段と、
前記識別手段により識別された判定理由に基づいて、当該判定理由に対処する対処方法を示すテキストメッセージを作成し、前記周辺機器を示す画像或は縮小画像に対応付けて表示する対処メッセージ表示手段を更に有することを特徴とする請求項１乃至４のいずれか１項に記載の情報処理装置。
【請求項６】
更に前記周辺機器の設置されている場所に関する情報を記憶する手段を有し、
前記機器画像表示手段は、前記周辺機器を示す画像に前記設置されている場所に関する情報を付与して表示することを特徴とする請求項１に記載の情報処理装置。
【請求項７】
前記判定手段による判定理由を識別する識別手段と、
前記識別手段により識別された判定理由に基づいて、当該判定理由に対処する対処方法及び前記設置されている場所に関するテキストメッセージを作成し、前記周辺機器を示す画像或は縮小画像に対応付けて表示する対処メッセージ表示手段を更に有することを特徴とする請求項６に記載の情報処理装置。
【請求項８】
周辺機器からの情報を入力して処理する情報処理装置における情報処理方法であって、
前記周辺機器に対して当該周辺機器の状況を問合せる問合せ工程と、
前記周辺機器が有するコンテンツデータの縮小画像を表示する縮小画像表示工程と、
前記縮小画像に対応付けて前記周辺機器を示す画像を表示する機器画像表示工程と、
前記問合せ工程による問合せに対する応答に基づいて、前記周辺機器から前記コンテンツ  データの取得が可能かどうかを判定する判定工程と、
前記判定工程による判定結果を表示する表示制御工程と、
を有することを特徴とする情報処理装置における情報処理方法。
【請求項９】
前記問合せ工程では、更に、前記コンテンツデータの格納場所を前記周辺機器に問合せ、前記判定工程では、当該格納場所と前記周辺機器の状況とに基づいて前記周辺機器から前記コンテンツデータの取得が可能かどうかを判定することを特徴とする請求項８に記載の情報処理装置における情報処理方法。
【請求項１０】
前記表示制御工程では、前記判定工程で前記周辺機器から前記コンテンツデータの取得が可能でないと判定した場合、前記周辺機器を示す画像或は縮小画像に対応付けて、当該周辺機器から前記コンテンツデータの取得ができない旨を示すマークを表示することを特徴とする請求項８又は９に記載の情報処理装置における情報処理方法。
【請求項１１】
前記判定工程での判定理由を識別する識別工程と、
前記識別工程で識別された判定理由に基づいて、当該判定理由を示すテキストメッセージを作成し、前記周辺機器を示す画像或は縮小画像に対応付けて表示するメッセージ表示工程を更に有することを特徴とする請求項８乃至１０のいずれか１項に記載の情報処理装置における情報処理方法。
【請求項１２】
前記判定工程での判定理由を識別する識別工程と、
前記識別工程で識別された判定理由に基づいて、当該判定理由に対処する対処方法を示すテキストメッセージを作成し、前記周辺機器を示す画像或は縮小画像に対応付けて表示する対処メッセージ表示工程を更に有することを特徴とする請求項８乃至１１のいずれか１項に記載の情報処理装置における情報処理方法。
【請求項１３】
更に前記周辺機器の設置されている場所に関する情報を記憶する工程を有し、
前記機器画像表示工程では、前記周辺機器を示す画像に前記設置されている場所に関する情報を付与して表示することを特徴とする請求項８に記載の情報処理装置における情報処理方法。
【請求項１４】
前記判定工程での判定理由を識別する識別工程と、
前記識別工程で識別された判定理由に基づいて、当該判定理由に対処する対処方法及び前記設置されている場所に関するテキストメッセージを作成し、前記周辺機器を示す画像或は縮小画像に対応付けて表示する対処メッセージ表示工程を更に有することを特徴とする請求項１３に記載の情報処理装置における情報処理方法。
【請求項１５】
請求項８乃至１４のいずれか１項に記載の情報処理方法をコンピュータに実行させるためのプログラム。
【手続補正２】
【補正対象書類名】明細書
【補正対象項目名】０００９
【補正方法】変更
【補正の内容】
【０００９】
本発明の一態様に係る情報処理装置は以下のような構成を備える。即ち、
周辺機器からの情報を入力して処理する情報処理装置であって、
前記周辺機器に対して当該周辺機器の状況を問合せる問合せ手段と、
前記周辺機器が有するコンテンツデータの縮小画像を表示する縮小画像表示手段と、
前記縮小画像に対応付けて前記周辺機器を示す画像を表示する機器画像表示手段と、
前記問合せ手段による問合せに対する応答に基づいて、前記周辺機器から前記コンテンツデータの取得が可能かどうかを判定する判定手段と、
前記判定手段による判定結果を表示する表示制御手段と、
を有することを特徴とする。
【手続補正３】
【補正対象書類名】明細書
【補正対象項目名】００１０
【補正方法】変更
【補正の内容】
【００１０】
本発明の一態様に係る情報処理装置における情報処理方法は以下のような工程を備える。即ち、
周辺機器からの情報を入力して処理する情報処理装置における情報処理方法であって、
前記周辺機器に対して当該周辺機器の状況を問合せる問合せ工程と、
前記周辺機器が有するコンテンツデータの縮小画像を表示する縮小画像表示工程と、
前記縮小画像に対応付けて前記周辺機器を示す画像を表示する機器画像表示工程と、
前記問合せ工程による問合せに対する応答に基づいて、前記周辺機器から前記コンテンツデータの取得が可能かどうかを判定する判定工程と、
前記判定工程による判定結果を表示する表示制御工程と
を有することを特徴とする。